(57)【特許請求の範囲】
【請求項１】
自動読取りによりデータ収集して所用の管理処理をそれぞれ行う複数のＰＯＳ端末装置と、前記複数のＰＯＳ端末装置からの前記所用の管理処理のうちの所定なものに関する送信データを受信収集して集計処理を行うと共に、該複数のＰＯＳ端末装置における前記データ収集に関する管理制御を行う上位装置とがオンライン接続されて成るＰＯＳシステムにおいて、前記上位装置は、前記所用の管理処理の種類数に応じて該所用の管理処理のうちの所定なものに関する送信データを前記複数のＰＯＳ端末装置毎に区別して順次受信保持した上で前記集計処理を行うものであり、前記複数のＰＯＳ端末装置は、それぞれ前記所用の管理処理の種類数に応じて該所用の管理処理のうちの所定なものに関する送信データを前記上位装置へ一回分送信し、更に、前記上位装置は、前記所用の管理処理の種類数に応じた送信データを前記複数のＰＯＳ端末装置毎に送信順に区別して順次記憶保持するための処理待ち領域を有する記憶保持手段を備えたことを特徴とするＰＯＳシステム。
【請求項２】
請求項１記載のＰＯＳシステムにおいて、前記上位装置は、前記集計処理に際して前記処理待ち領域に記憶された前記所用の管理処理の種類数に応じた送信データのうちの特定なものを優先的に行わせるための動作指示入力を行う動作指示入力装置を備えたことを特徴とするＰＯＳシステム。
【発明の詳細な説明】
【０００１】
【発明の属する技術分野】
本発明は、主として飲食店等で用いられると共に、複数のＰＯＳ端末装置からの売上データ等の送信データの同時送信に際しての通信処理を円滑に行う通信データ処理制御機能を備えたＰＯＳ（販売時点情報管理／ｐｏｉｎｔ  ｏｆ  ｓａｌｅｓ）システムに関する。
【０００２】
【従来の技術】
従来、この種のＰＯＳシステムは、自動読取りによりデータ収集して所用の管理処理（単品管理，顧客管理，売上管理等が割り当てられる）をそれぞれ行う複数のＰＯＳ端末装置（ｓａｌｅｓ  ｏｐｅｒａｔｉｏｎ  ｔｅｒｍｉｎａｌ／ＳＯＴ端末とも呼ばれる）と、これらのＰＯＳ端末装置からの所用の管理処理のうちの所定なものに関する送信データを受信収集して集計処理を行うと共に、各ＰＯＳ端末装置におけるデータ収集に関する管理制御を行う上位装置（ストアーコントローラとも呼ばれる）とがオンライン接続されて成っている。
【０００３】
このうち、ＰＯＳ端末装置は、一般にレジスタ機能，データを一時記憶するファイル機能，並びに上位装置へ接続を行うオンライン機能を有しており、こうした機能の構築のためにそれぞれ所用の管理処理に要するデータを蓄えるディスク装置等の記憶装置と、メーカーコード，品目コード等の商品コードを入力するためのキーボード並びに固定スキャナやハンドスキャナ等の自動読取り装置と、所用の管理処理の所定なものに関する処理データを印字するための印字装置とを備えている。
【０００４】
上位装置は、ＰＯＳ端末装置と同様に、集計処理に要するデータを蓄える記憶装置と、商品コードを入力するためのキーボード並びに自動読取り装置と、所用の管理処理の所定なものに関する集計処理データを印字するための印字装置とを備える他、各ＰＯＳ端末装置におけるデータ収集に関する管理制御を動作指示入力するための動作指示入力装置等を備えている。
【０００５】
このようなＰＯＳシステムにおいては、ＰＯＳ端末装置から所用の管理処理のうちの所定なものに関する送信データが上位装置に送信され、上位装置ではその送信データを順次受信して集計処理を行う。この結果として、システムが設置された店舗では、例えば所定の期間内における売上集計データ等の集計データを掌握できるようになっている。
【０００６】
図３は、従来の一例に係るＰＯＳシステムのＰＯＳ端末装置及び上位装置間における通信時のシーケンス（売上データ処理の手順）を示した模試図である。このＰＯＳシステムは、ＰＯＳ端末装置及び上位装置がそれぞれ１台から成っている。
【０００７】
このＰＯＳシステムの場合、以下に説明する手順で売上データの処理が行われる。先ずＰＯＳ端末装置から上位装置へ向けて第１回目の売上データの送信を示す売上１送信を行い、これにより上位装置は売上処理として第１に売上受信を行い、この後に売上処理に移行して第２に売上処理中となる。この売上処理中に際して、ＰＯＳ端末装置は返答待ちとなるが、上位装置での売上処理が終了して第３に処理完了を返答すると、ＰＯＳ端末装置は返答受信する。
【０００８】
次に、ＰＯＳ端末装置から上位装置へ向けて第２回目の売上データの送信を示す売上２送信を行い、これにより上位装置は売上処理として第４に売上受信を行い、この後に売上処理に移行して第５に売上処理中となる。この売上処理中に際して、ＰＯＳ端末装置は返答待ちとなるが、上位装置での売上処理が終了して第６に処理完了を返答すると、ＰＯＳ端末装置は返答受信する。
【０００９】
図４は、従来の他例に係るＰＯＳシステムの各ＰＯＳ端末装置及び上位装置間における通信時のシーケンス（売上データ処理の手順）を示した模試図である。このＰＯＳシステムは、３台のＰＯＳ端末装置１，２，３及び１台の上位装置から成っている。
【００１０】
このＰＯＳシステムの場合、以下に説明する手順で売上データの処理が行われる。先ず第１のＰＯＳ端末装置１から上位装置へ向けて第１回目の売上データの送信を示す売上１−１送信を行い、これにより上位装置は受信処理として受信してから売上処理として第１に売上受信を行い、この後に売上処理に移行して第２に売上処理中となる。この売上処理中に際して、第１のＰＯＳ端末装置１は返答待ちとなるが、この間に第２のＰＯＳ端末装置２から上位装置へ向けて第１回目の売上データの送信を示す売上２−１送信や第３のＰＯＳ端末装置３から上位装置へ向けて第１回目の売上データの送信を示す売上３−１送信を行っても、上位装置では受信処理としてそれぞれ受信拒否するため、第２のＰＯＳ端末装置２や第３のＰＯＳ端末装置３では送信エラーとなる。上位装置での売上処理が終了して第３に処理完了を第１のＰＯＳ端末装置１へ返答すると、第１のＰＯＳ端末装置１は返答受信する。
【００１１】
次に、この時点で第２のＰＯＳ端末装置２から上位装置へ向けて第１回目の売上データの送信を示す売上２−１送信が上位装置で受信処理として受信され、これにより上位装置では売上処理として第４に売上受信を行い、この後に売上処理に移行して第５に売上処理中となる。この売上処理中に際して、第２のＰＯＳ端末装置２は返答待ちとなるが、この間に第１のＰＯＳ端末装置１から上位装置へ向けて第２回目の売上データの送信を示す売上１−２送信や第３のＰＯＳ端末装置３から上位装置へ向けて第１回目の売上データの送信を示す売上３−１送信を行っても、上位装置では受信処理としてそれぞれ受信拒否するため、第１のＰＯＳ端末装置１や第３のＰＯＳ端末装置３では送信エラーとなる。上位装置での売上処理が終了して第６に処理完了を第２のＰＯＳ端末装置２へ返答すると、第２のＰＯＳ端末装置２は返答受信する。
【００１２】
引き続き、この時点で第３のＰＯＳ端末装置３から上位装置へ向けて第１回目の売上データの送信を示す売上３−１送信が上位装置で受信処理として受信され、これにより上位装置では売上処理として第７に売上受信を行い、この後に売上処理に移行して第８に売上処理中となる。この売上処理中に際して、第３のＰＯＳ端末装置３は返答待ちとなるが、この間に第１のＰＯＳ端末装置１から上位装置へ向けて第２回目の売上データの送信を示す売上１−２送信や第２のＰＯＳ端末装置２から上位装置へ向けて第２回目の売上データの送信を示す売上２−２送信を行っても、上位装置では受信処理としてそれぞれ受信拒否するため、第１のＰＯＳ端末装置１や第２のＰＯＳ端末装置２では送信エラーとなる。上位装置での売上処理が終了して第９に処理完了を第３のＰＯＳ端末装置３へ返答すると、第３のＰＯＳ端末装置３は返答受信する。
【００１３】
【発明が解決しようとする課題】
上述したＰＯＳシステムの場合、同時に多数のＰＯＳ端末装置から所用の管理処理のうちの所定なものに関する送信データが上位装置に送信される場合、上位装置において通信が混雑して誤処理を起こす危険を回避するため、図４で説明したように各ＰＯＳ端末装置ではその送信データが上位装置で受信処理されるまで繰り返し同じ送信データを送信するようになっているが、このような通信時のシーケンスは無駄があって不合理である上、送信データが受信処理されずに送信エラーとなったＰＯＳ端末装置に関しては通信障害が発生することになるため、好ましくない。
【００１４】
又、ＰＯＳ端末装置から送信データを上位装置で受信処理されるまで繰り返し送信する構成であれば、例えば送信データが売上データのような所定のものである場合、例えば問い合わせ処理等の他の特定の処理を行わせようとすると、その処理内容が１度で上位装置に受信されないという通信障害が発生する。
【００１５】
本発明は、このような問題点を解決すべくなされたもので、その技術的課題は、ＰＯＳ端末装置からの送信データの状況に拘らず上位装置で通信障害を来すこと無くデータ処理を効率的に遂行し得るＰＯＳシステムを提供することにある。
【００１６】
【課題を解決するための手段】
本発明によれば、自動読取りによりデータ収集して所用の管理処理をそれぞれ行う複数のＰＯＳ端末装置と、複数のＰＯＳ端末装置からの所用の管理処理のうちの所定なものに関する送信データを受信収集して集計処理を行うと共に、該複数のＰＯＳ端末装置におけるデータ収集に関する管理制御を行う上位装置とがオンライン接続されて成るＰＯＳシステムにおいて、上位装置は、所用の管理処理の種類数に応じて該所用の管理処理のうちの所定なものに関する送信データを複数のＰＯＳ端末装置毎に区別して順次受信保持した上で集計処理を行うものであり、複数のＰＯＳ端末装置は、それぞれ所用の管理処理の種類数に応じて該所用の管理処理のうちの所定なものに関する送信データを上位装置へ一回分送信し、更に、上位装置は、所用の管理処理の種類数に応じた送信データを複数のＰＯＳ端末装置毎に送信順に区別して順次記憶保持するための処理待ち領域を有する記憶保持手段を備えたＰＯＳシステムが得られる。
【００１７】
又、本発明によれば、上記ＰＯＳシステムにおいて、上位装置は、集計処理に際して処理待ち領域に記憶された所用の管理処理の種類数に応じた送信データのうちの特定なものを優先的に行わせるための動作指示入力を行う動作指示入力装置を備えたＰＯＳシステムが得られる。
【００１８】
【発明の実施の形態】
以下に実施例を挙げ、本発明のＰＯＳシステムについて、図面を参照して詳細に説明する。
【００１９】
図１は、本発明の一実施例に係るＰＯＳシステムの基本構成を周辺装置を含めて示した外観斜視図である。このＰＯＳシステムも、自動読取りによりデータ収集して所用の管理処理（単品管理，顧客管理，売上管理等が割り当てられる）をそれぞれ行う複数（ここでは３台）のＰＯＳ端末装置１，２，３と、これらのＰＯＳ端末装置１，２，３からの所用の管理処理のうちの所定なものに関する送信データを受信収集して集計処理を行うと共に、各ＰＯＳ端末装置１，２，３におけるデータ収集に関する管理制御を行う上位装置４とがオンライン接続されて成っている。
【００２０】
但し、ここで上位装置４は、所用の管理処理の種類数に応じてその所用の管理処理のうちの所定なものに関する送信データを各ＰＯＳ端末装置１，２，３毎に区別して順次受信保持した上で集計処理を行うものであり、このために所用の管理処理の種類数に応じた送信データを各ＰＯＳ端末装置１，２，３毎の送信順に区別して順次記憶保持するための処理待ち領域を有する記憶保持手段（図示せず）を備えている。この記憶保持手段に関しては汎用的なレジスタ機能や記憶装置等を用いれば良いものである。
【００２１】
この上位装置４において、その他の構成部分に関しては、既成のものとほぼ同様であり、集計処理に要するデータを蓄える記憶装置を本体装置４ａに内蔵すると共に、商品コードを入力するためのキーボード４ｂと、所用の管理処理の所定なものに関する集計処理データを表示するためのモニタ４ｃとをシステム構成として備える他、周辺装置として商品コードを入力するための自動読取り装置であるタッチスキャナ６と、集計処理データを印字するための印字装置であるプリンタ５及びタグプリンタ８と、各ＰＯＳ端末装置１，２，３におけるデータ収集に関する管理制御を動作指示入力するための動作指示入力装置であるルート用端末指示装置（カプラ）９と、集計処理に際して処理待ち領域に記憶された所用の管理処理の種類数に応じた送信データのうちの特定なものを優先的に行わせるための動作指示入力を行う動作指示入力装置であるハンディターミナル（カプラ）７とを備えている。
【００２２】
一方、各ＰＯＳ端末装置１，２，３は、それぞれ所用の管理処理の種類数に応じて所用の管理処理のうちの所定なものに関する送信データを上位装置４へ一回分送信する機能が持たされるように変更されている以外、その他の構成部分に関しては既成のものと同様に構成されており、商品コードを入力するためのキーボードや所用の管理処理に要するデータを蓄えるディスク装置等の記憶装置（図示せず）をそれぞれシステム構成として備える他、それぞれ周辺装置として商品コードを入力するための自動読取り装置（図示せず）や所用の管理処理の所定なものに関する処理データを印字するための印字装置であるドットプリンタ１０を備えている。
【００２３】
尚、図１に示すＰＯＳシステムでは、上位装置４及びＰＯＳ端末装置３にそれぞれタグプリンタ８を接続した構成となっているが、このタグプリンタ８は上位装置４又はＰＯＳ端末装置３（他のＰＯＳ端末装置１，２の何れかであっても同様である）のうちの何れか一方に接続されていれば良いものである。
【００２４】
図２は、ＰＯＳシステムの各ＰＯＳ端末装置及び上位装置間における通信時のシーケンス（売上データ処理の手順）を示した模試図である。
【００２５】
このＰＯＳシステムの場合、以下に説明する手順で売上データの処理が行われる。先ず第１のＰＯＳ端末装置１から上位装置４へ向けて第１回目の売上データの送信を示す売上１−１送信を行い、この時点で第１のＰＯＳ端末装置１は送信完了となる。これにより上位装置４は受信処理として処理待ち領域の売上データに関する第１のＰＯＳ端末装置１用の領域に売上受信処理依頼して売上１−１送信のデータを一旦記憶保持した後、そのデータに基づいて売上処理として第１に売上受信１−１を行い、この後に売上処理に移行して第２に売上処理中となる。この売上処理中に際して、第１のＰＯＳ端末装置１は返答待ちとなるが、この間に第２のＰＯＳ端末装置２から上位装置４へ向けて第１回目の売上データの送信を示す売上２−１送信や第３のＰＯＳ端末装置３から上位装置へ向けて第１回目の売上データの送信を示す売上３−１送信が行われると、上位装置４では受信処理として処理待ち領域の売上データに関する第２のＰＯＳ端末装置２用の領域，第３のＰＯＳ端末装置３用の領域にそれぞれ売上受信処理依頼してそれぞれ売上２−１送信のデータ，売上３−１送信のデータを一旦記憶保持する。尚、第２のＰＯＳ端末装置２や第３のＰＯＳ端末装置３は売上２−１送信のデータや売上３−１送信のデータを送信した時点で送信完了となる。上位装置４での売上処理が終了して第３に処理完了１−１を第１のＰＯＳ端末装置１へ返答すると、第１のＰＯＳ端末装置１は返答受信する。
【００２６】
次に、この時点で上位装置４は処理待ち領域における第２のＰＯＳ端末装置２用の領域からの売上２−１送信のデータを受信することで第４に売上受信２−１を行い、この後に売上処理に移行して第５に売上処理中となる。上位装置４での売上処理が終了して第６に処理完了２−１を第２のＰＯＳ端末装置２へ返答すると、第２のＰＯＳ端末装置２は返答受信する。
【００２７】
引き続き、更にこの時点で上位装置４は処理待ち領域における第３のＰＯＳ端末装置３用の領域からの売上３−１送信のデータを受信することで第７に売上受信３−１を行い、この後に売上処理に移行して第８に売上処理中となる。上位装置４での売上処理が終了して第９に処理完了３−１を第３のＰＯＳ端末装置３へ返答すると、第３のＰＯＳ端末装置３は返答受信する。
【００２８】
尚、図２に示した例では上位装置４における売上受信１−１の売上処理中に第２のＰＯＳ端末装置２と第３のＰＯＳ端末装置３とからそれぞれ売上２−１送信のデータと売上３−１送信のデータとが送信されるものとして説明したが、売上受信１−１の売上処理中に第２のＰＯＳ端末装置２から売上２−１送信のデータが送信されると共に、売上受信２−１の売上処理中に第３のＰＯＳ端末装置３から売上３−１送信のデータが送信された場合であっても、結果として同様に機能する。何れにしても、ここでの各ＰＯＳ端末装置１，２，３はそれぞれ一旦売上１−１送信，売上２−１送信，売上３−１送信を行うと送信完了となる。
【００２９】
ところで、図２では送信データに関して所用の管理処理のうちの所定なものとして、売上データを対象にした場合を説明したが、このＰＯＳシステムでは、こうした売上データの処理の最中にハンディターミナル７により所用の管理処理に関して例えば問い合わせ処理等の他の特定な処理を優先的に行わせるための動作指示入力を行うと、上位装置４は売上処理よりも優先させてその特定な処理を行うように機能する。
【００３０】
【発明の効果】
以上に述べた通り、本発明のＰＯＳシステムによれば、各ＰＯＳ端末装置ではそれぞれ所用の管理処理の種類数に応じてその所用の管理処理のうちの所定なものに関する送信データを上位装置へ一回分送信するようにし、上位装置では所用の管理処理の種類数に応じてその所用の管理処理のうちの所定なものに関する送信データを各ＰＯＳ端末装置毎に区別して順次受信保持した上で集計処理を行うようにしているので、ＰＯＳ端末装置からの送信データの状況に拘らず上位装置で通信障害を来すこと無くデータ処理を効率的に遂行し得るようになると共に、上位装置における集計処理に際して記憶保持手段の処理待ち領域に記憶された所用の管理処理の種類数に応じた送信データが例えば売上処理等を行っている最中であってもデータの受信保持を可能とする機能を持ち、しかも送信データのうちの特定なものを優先的に行わせるための動作指示入力を行う動作指示入力装置が上位装置に備えられるため、所用の管理処理に関して所定なものに関する送信データのデータ処理中に特定なものに関する送信データのデータ処理を優先的に行わせることができるようになる。又、仕様変更等により上位装置において所用の管理処理のうちの所定なものに関する送信データの処理時間が長くなっても、各ＰＯＳ端末装置はの所定なものに関する送信データを上位装置へ一回分送信するだけである（送信のリトライを行わない）ため、通信の混雑が回避されるようになる。
【図面の簡単な説明】
【図１】  本発明の一実施例に係るＰＯＳシステムの基本構成を周辺装置を含めて示した外観斜視図である。
【図２】  図１に示すＰＯＳシステムの各ＰＯＳ端末装置及び上位装置間における通信時のシーケンス（売上データ処理の手順）を示した模試図である。
【図３】  従来の一例に係るＰＯＳシステムのＰＯＳ端末装置及び上位装置間における通信時のシーケンス（売上データ処理の手順）を示した模試図である。
【図４】  従来の他例に係るＰＯＳシステムの各ＰＯＳ端末装置及び上位装置間における通信時のシーケンス（売上データ処理の手順）を示した模試図である。
【符号の説明】
１〜３  ＰＯＳ端末装置（ＳＯＴ端末）
４  上位装置（ストアーコントローラ）
４ａ  本体装置
４ｂ  キーボード
４ｃ  モニタ
５  プリンタ
６  タッチスキャナ
７  ハンディターミナル（カプラ）
８  タグプリンタ
９  ルート用端末指示装置（カプラ）
１０  ドットプリンタ
【図１】
0003934743.tif 000002
【図２】
0003934743.tif 000003
【図３】
0003934743.tif 000004
【図４】
0003934743.tif 000005